(57)【要約】【課題】暗がりの中での使い勝手が改善された携帯電話機などの携帯端末装置を提供する。【解決手段】光センサ２０から出力される電気信号ｐａが光センサ制御部１９に入力され、同光センサ制御部１９で携帯端末装置１０の周囲の照度ｐｂが測定される。取得された照度ｐｂは、記憶部１６に一時記憶される。照度ｐｂは、記憶部１６に記憶されている明暗判定閾値と比較され、同照度ｐｂが同明暗判定閾値よりも大きいときに明るいと判定され、明モードが選択されてＬＣＤ１８に通常メニューが表示される。一方、照度ｐｂが明暗判定閾値よりも小さいときに暗いと判定され、暗モードが選択されてＬＣＤ１８に省略メニューが表示される。【選択図】図１
2008085398.tif 000002
【特許請求の範囲】
【請求項１】
装置周囲の明るさを検出する明るさ検出手段と、
該明るさ検出手段により検出された明るさに応じて表示対象を加減する表示制御手段とを備えてなることを特徴とする携帯端末装置。
【請求項２】
前記明るさ検出手段は、
当該携帯端末装置の周囲の照度を測定する照度測定部を備え、
前記表示制御手段は、
前記照度測定部により測定された照度に基づいて前記表示対象を段階的に加減する構成とされていることを特徴とする請求項１記載の携帯端末装置。
【請求項３】
前記表示対象は、周囲の明暗に応じて無制限に表示するための明モード及び制限的に表示するための暗モードが設定され、
前記表示制御手段は、
前記照度測定部により測定された照度を所定の明暗判定閾値と比較し、該照度が該明暗判定閾値よりも大きいときに前記明モードを選択する一方、該照度が該明暗判定閾値よりも小さいときに前記暗モードを選択するモード選択部を備えてなることを特徴とする請求項２記載の携帯端末装置。
【請求項４】
前記表示対象は、周囲の明暗に応じて無制限に表示するための明モード及び制限的に表示するための暗モードが設定され、
現在時刻情報を生成する計時手段が設けられ、
前記表示制御手段は、
前記照度測定部で測定された前記照度を所定の明暗判定閾値と比較すると共に、前記現在時刻情報があらかじめ設定された昼間時間範囲内にあるか否かを判定し、前記照度が前記明暗判定閾値よりも大きいとき、又は前記現在時刻情報が前記昼間時間範囲内にあるときに前記明モードを選択する一方、前記照度が前記明暗判定閾値よりも小さく、かつ前記現在時刻情報が前記昼間時間範囲外にあるときに前記暗モードを選択する構成とされていることを特徴とする請求項２記載の携帯端末装置。
【請求項５】
装置周囲の明るさを検出する明るさ検出手段と、
該明るさ検出手段により検出された明るさに応じて着信音の音量を加減する着信音制御手段とを備えてなることを特徴とする携帯端末装置。
【請求項６】
前記明るさ検出手段は、
当該携帯端末装置の周囲の照度を測定する照度測定部を備え、
前記着信音制御手段は、
前記照度測定部により測定された照度に基づいて前記着信音の音量を段階的又は連続的に加減する構成とされていることを特徴とする請求項５記載の携帯端末装置。
【請求項７】
前記照度測定部は、
当該携帯端末装置の周囲の光を電気信号に変換して出力する光センサと、
該光センサから出力される前記電気信号に基づいて当該携帯端末装置の周囲の照度を測定する光センサ制御部とから構成されていることを特徴とする請求項２、３、４又は６記載の携帯端末装置。
【請求項８】
携帯端末装置に用いられる機能制御方法であって、
前記携帯端末装置の周囲の明るさを検出する明るさ検出処理と、
該明るさ検出手段により検出された明るさに応じて表示対象を加減する表示制御処理とを行うことを特徴とする機能制御方法。
【請求項９】
前記明るさ検出処理では、
当該携帯端末装置の周囲の照度を測定し、
前記表示制御処理では、
前記測定された照度に基づいて前記表示対象を段階的に加減することを特徴とする請求項８記載の機能制御方法。
【請求項１０】
前記表示対象に、周囲の明暗に応じて無制限に表示するための明モード及び制限的に表示するための暗モードを設定し、
前記表示制御処理では、
前記測定された照度を所定の明暗判定閾値と比較し、該照度が該明暗判定閾値よりも大きいときに前記明モードを選択する一方、該照度が該明暗判定閾値よりも小さいときに前記暗モードを選択することを特徴とする請求項９記載の機能制御方法。
【請求項１１】
前記表示対象に、周囲の明暗に応じて無制限に表示するための明モード及び制限的に表示するための暗モードを設定し、
現在時刻情報を生成する計時処理を行い、
前記表示制御処理では、
前記測定された前記照度を所定の明暗判定閾値と比較すると共に、前記現在時刻情報があらかじめ設定された昼間時間範囲内にあるか否かを判定し、前記照度が前記明暗判定閾値よりも大きいとき、又は前記現在時刻情報が前記昼間時間範囲内にあるときに前記明モードを選択する一方、前記照度が前記明暗判定閾値よりも小さく、かつ前記現在時刻情報が前記昼間時間範囲外にあるときに前記暗モードを選択することを特徴とする請求項９記載の機能制御方法。
【請求項１２】
携帯端末装置に用いられる機能制御方法であって、
装置周囲の明るさを検出する明るさ検出処理と、
該明るさ検出手段により検出された明るさに応じて着信音の音量を加減する着信音制御処理とを行うことを特徴とする機能制御方法。
【請求項１３】
前記明るさ検出処理では、
当該携帯端末装置の周囲の照度を測定し、
前記着信音制御処理では、
前記測定された照度に基づいて前記着信音の音量を段階的又は連続的に加減することを特徴とする請求項１２記載の機能制御方法。
【請求項１４】
コンピュータに請求項１乃至７のいずれか一に記載の携帯端末装置を制御させるための機能制御プログラム。
【発明の詳細な説明】
【技術分野】
【０００１】
この発明は、携帯端末装置、該携帯端末装置に用いられる機能制御方法及び機能制御プログラムに係り、特に、携帯電話機などのように、表示部に各機能をメニュー表示する機能や着信音を発生する機能などを有する携帯端末装置、該携帯端末装置に用いられる機能制御方法及び機能制御プログラムに関する。
【背景技術】
【０００２】
複数の機能を有する携帯電話機などの携帯端末装置は、暗がりの中では、全ての機能が使用されることは少なく、限られた機能のみが使用されることが多い。たとえば、明るい部屋や電車の中などでは、インターネットやゲームなどの機能が使用される一方、暗がりの中では、睡眠前の目覚まし設定やメール、あるいは夜間移動中の音楽再生などが行われることが多い。また、ユーザが暗がりの中で携帯電話機を操作するという状態は、ビジネスユースではなく、私室にいるときのようなプライベートユースである可能性が高く、この場合に使用される機能は一部の機能に限られていることが多いため、全ての機能をメニュー表示する必要はないと考えられる。ところが、従来の携帯電話機では、周囲の明暗に関わらず、常に全ての機能に対応するメニューが表示されるため、暗がりの中での操作に煩わしさがあるという問題点がある。このため、暗がりの中での操作の煩わしさがない携帯電話機が必要となっている。
【０００３】
従来、この種の技術としては、たとえば、特許文献１に記載されたものがある。
特許文献１に記載された携帯電話機（同文献では「携帯端末」）では、携帯電話機全体の機能を網羅的に含んだ詳細メニューと、頻繁に使用される機能を同詳細メニューから抽出してメニュー化し、かつ詳細メニューとは異なる階層構造を有した簡単メニューとを備え、同詳細メニューと同簡単メニューとが排他的に切り替えて表示される。これらの詳細メニューと簡単メニューとが設けられているので、ユーザにとって容易にメニュー操作を行うことができ、使い勝手に優れる。
【０００４】
また、特許文献２に記載された携帯電話機（同文献では「携帯端末装置」）では、筐体の外表面に照度センサが設けられ、表示制御回路により、同照度センサの出力が閾値以上の場合に表示部の表示がオンに制御される一方、同照度センサの出力が閾値未満の場合に表示部の表示がオフに制御される。同閾値は、閾値設定回路により設定される。これにより、同携帯端末装置がバッグなどに収納されている状態のように、周囲が暗い状態では、表示部がオフに制御されるので、消費電力が低減され、使用可能時間が延長される。
【特許文献１】特開２００３−０５８２９２号公報（要約書、図１）
【特許文献２】特開２００４−１４０４７２号公報（要約書、図５）
【発明の開示】
【発明が解決しようとする課題】
【０００５】
しかしながら、上記従来の携帯電話機では、次のような問題点があった。
すなわち、特許文献１に記載された携帯電話機では、詳細メニューと簡単メニューとが設けられている点は、この発明と類似しているが、周囲の明暗に対応するものではないため、上記の問題点は、改善されない。
【０００６】
特許文献２に記載された携帯電話機では、周囲が暗いとき、表示部がオフに制御されることにより、消費電力が低減されて使用可能時間が延長されるものであり、上記の問題点を改善するものではない。
【０００７】
この発明は、上述の事情に鑑みてなされたもので、暗がりの中での操作の煩わしさが改善される携帯端末装置、該携帯端末装置に用いられる機能制御方法及び機能制御プログラムを提供することを目的としている。
【課題を解決するための手段】
【０００８】
上記課題を解決するために、請求項１記載の発明は、携帯端末装置に係り、装置周囲の明るさを検出する明るさ検出手段と、該明るさ検出手段により検出された明るさに応じて表示対象を加減する表示制御手段とを備えてなることを特徴としている。
【０００９】
請求項２記載の発明は、請求項１記載の携帯端末装置に係り、前記明るさ検出手段は、当該携帯端末装置の周囲の照度を測定する照度測定部を備え、前記表示制御手段は、前記照度測定部により測定された照度に基づいて前記表示対象を段階的に加減する構成とされていることを特徴としている。
【００１０】
請求項３記載の発明は、請求項２記載の携帯端末装置に係り、前記表示対象は、周囲の明暗に応じて無制限に表示するための明モード及び制限的に表示するための暗モードが設定され、前記表示制御手段は、前記照度測定部により測定された照度を所定の明暗判定閾値と比較し、該照度が該明暗判定閾値よりも大きいときに前記明モードを選択する一方、該照度が該明暗判定閾値よりも小さいときに前記暗モードを選択するモード選択部を備えてなることを特徴としている。
【００１１】
請求項４記載の発明は、請求項２記載の携帯端末装置に係り、前記表示対象は、周囲の明暗に応じて無制限に表示するための明モード及び制限的に表示するための暗モードが設定され、現在時刻情報を生成する計時手段が設けられ、前記表示制御手段は、前記照度測定部で測定された前記照度を所定の明暗判定閾値と比較すると共に、前記現在時刻情報があらかじめ設定された昼間時間範囲内にあるか否かを判定し、前記照度が前記明暗判定閾値よりも大きいとき、又は前記現在時刻情報が前記昼間時間範囲内にあるときに前記明モードを選択する一方、前記照度が前記明暗判定閾値よりも小さく、かつ前記現在時刻情報が前記昼間時間範囲外にあるときに前記暗モードを選択する構成とされていることを特徴としている。
【００１２】
請求項５記載の発明は、携帯端末装置に係り、装置周囲の明るさを検出する明るさ検出手段と、該明るさ検出手段により検出された明るさに応じて着信音の音量を加減する着信音制御手段とを備えてなることを特徴としている。
【００１３】
請求項６記載の発明は、請求項５記載の携帯端末装置に係り、前記明るさ検出手段は、当該携帯端末装置の周囲の照度を測定する照度測定部を備え、前記着信音制御手段は、前記照度測定部により測定された照度に基づいて前記着信音の音量を段階的又は連続的に加減する構成とされていることを特徴としている。
【００１４】
請求項７記載の発明は、請求項２、３、４又は６記載の携帯端末装置に係り、前記照度測定部は、当該携帯端末装置の周囲の光を電気信号に変換して出力する光センサと、該光センサから出力される前記電気信号に基づいて当該携帯端末装置の周囲の照度を測定する光センサ制御部とから構成されていることを特徴としている。
【００１５】
請求項８記載の発明は、携帯端末装置に用いられる機能制御方法に係り、前記携帯端末装置の周囲の明るさを検出する明るさ検出処理と、該明るさ検出手段により検出された明るさに応じて表示対象を加減する表示制御処理とを行うことを特徴としている。
【００１６】
請求項９記載の発明は、請求項８記載の機能制御方法に係り、前記明るさ検出処理では、当該携帯端末装置の周囲の照度を測定し、前記表示制御処理では、前記測定された照度に基づいて前記表示対象を段階的に加減することを特徴としている。
【００１７】
請求項１０記載の発明は、請求項９記載の機能制御方法に係り、前記表示対象に、周囲の明暗に応じて無制限に表示するための明モード及び制限的に表示するための暗モードを設定し、前記表示制御処理では、前記測定された照度を所定の明暗判定閾値と比較し、該照度が該明暗判定閾値よりも大きいときに前記明モードを選択する一方、該照度が該明暗判定閾値よりも小さいときに前記暗モードを選択することを特徴としている。
【００１８】
請求項１１記載の発明は、請求項９記載の機能制御方法に係り、前記表示対象に、周囲の明暗に応じて無制限に表示するための明モード及び制限的に表示するための暗モードを設定し、現在時刻情報を生成する計時処理を行い、前記表示制御処理では、前記測定された前記照度を所定の明暗判定閾値と比較すると共に、前記現在時刻情報があらかじめ設定された昼間時間範囲内にあるか否かを判定し、前記照度が前記明暗判定閾値よりも大きいとき、又は前記現在時刻情報が前記昼間時間範囲内にあるときに前記明モードを選択する一方、前記照度が前記明暗判定閾値よりも小さく、かつ前記現在時刻情報が前記昼間時間範囲外にあるときに前記暗モードを選択することを特徴としている。
【００１９】
請求項１２記載の発明は、携帯端末装置に用いられる機能制御方法に係り、装置周囲の明るさを検出する明るさ検出処理と、該明るさ検出手段により検出された明るさに応じて着信音の音量を加減する着信音制御処理とを行うことを特徴としている。
【００２０】
請求項１３記載の発明は、請求項１２記載の機能制御方法に係り、前記明るさ検出処理では、当該携帯端末装置の周囲の照度を測定し、前記着信音制御処理では、前記測定された照度に基づいて前記着信音の音量を段階的又は連続的に加減することを特徴としている。
【００２１】
請求項１４記載の発明は、機能制御プログラムに係り、コンピュータに請求項１乃至７のいずれか一に記載の携帯端末装置を制御させることを特徴としている。
【発明の効果】
【００２２】
この発明の構成によれば、表示対象が当該携帯端末装置の周囲の明るさに応じて加減されるので、使い勝手を改善できる。また、照度測定部により測定された照度に基づいて、表示制御手段により、表示対象が段階的に加減されるので、使い勝手を改善できる。また、表示対象に明モード及び暗モードが設定され、表示制御手段により、照度が明暗判定閾値よりも大きいときに明モードが選択される一方、照度が明暗判定閾値よりも小さいときに暗モードが選択されるので、周囲の明暗に応じて適切なモードに対応した動作が行われ、操作の煩わしさを解消でき、使い勝手を改善できる。また、表示制御手段により、照度が明暗判定閾値よりも大きいとき、又は現在時刻情報が昼間時間範囲内にあるときに明モードが選択される一方、照度が明暗判定閾値よりも小さく、かつ現在時刻情報が昼間時間範囲外にあるときに暗モードが選択されるので、たとえば、ユーザが昼間時間に暗室などの暗い場所に居る場合でも、明るいと判定され、周囲が明るい場合と同様の処理が行われ、さらに使い勝手を改善できる。また、明るさ検出手段により周囲の明るさが検出され、着信音制御手段により、この明るさに応じて着信音の音量が加減されるので、使い勝手を改善できる。
【発明を実施するための最良の形態】
【００２３】
周囲の明暗を検出し、この明暗検出結果に基づいて、周囲が明るいときに全てのアイコンをメニュー表示する一方、周囲が暗いときに特定のアイコンのみをメニュー表示する携帯端末装置、該携帯端末装置に用いられる機能制御方法及び機能制御プログラムを提供する。
【実施例１】
【００２４】
図１は、この発明の第１の実施例である携帯端末装置の要部の電気的構成を示すブロック図である。
この例の携帯端末装置は、同図に示すように、携帯電話機１０であり、アンテナ１１と、無線部１２と、マイク１３と、カメラ１４と、レシーバ１５と、記憶部１６と、操作キー１７と、ＬＣＤ（Liquid Crystal Display、液晶表示装置）１８と、光センサ制御部１９と、光センサ２０と、制御部２１と、２次電池２２とから構成されている。アンテナ１１は、図示しない無線基地局との間で電波Ｗを送受信する。無線基地局は、図示しない移動通信制御局、在圏移動通信交換局及び関門移動通信交換局を介して一般電話回線網に接続されている。無線部１２は、図示しない受信回路、送信回路及び周波数シンセサイザなどを有している。
【００２５】
マイク１３は、ユーザの音声を受けて送話を行う。カメラ１４は、たとえば４００万画素のＣＣＤ（Charge Coupled Device 、電荷結合素子）センサなどを有し、携帯電話機１０の周辺の画像を取り込む。レシーバ１５は、着信音（たとえば、着メロ）や通話時の音声など、各種の情報に対応する音声を発生する。操作キー１７は、送信キー、英字／カナ／漢字／数字の変換キー、電源のオン／オフキー、カーソル操作を行うための十文字キー、及び終了キーなどから構成されている。ＬＣＤ１８は、通常の音声通話では、たとえば、相手先の電話番号情報やアイコン情報など、諸々の情報を表示し、また、記憶部１６に記憶されている画像を表示する。上記電話番号情報やアイコン情報などを表示する機能は、表示する情報の数が変更可能であり、また、着メロを発生する機能は、同着メロの音量が変更可能であり、いずれも、対応する動作を加減して行うことが可能な機能である。
【００２６】
光センサ２０は、たとえばＣｄＳ（硫化カドミウム）や太陽電池などで構成され、この携帯電話機１０の周囲の光を電気信号ｐａに変換して出力する。光センサ制御部１９は、光センサ２０から出力される電気信号ｐａに基づいて携帯端末装置１０の周囲の照度ｐｂを測定する。記憶部１６は、たとえばＲＡＭ（Randam Access Memory）などで構成され、カメラ１４により取り込まれた画像を記憶する他、光センサ制御部１９で測定された照度ｐｂを一時記憶すると共に同照度ｐｂに基づいて携帯端末装置１０の周囲の明暗を判定するための明暗判定閾値を記憶する。制御部２１は、携帯電話機１０全体を制御するＣＰＵ（中央処理装置）２１ａ及び同ＣＰＵ２１ａを動作させるための機能制御プログラムが記録されたＲＯＭ（リード・オンリ・メモリ）２１ｂを有している。特に、この実施例では、制御部２１は、ＬＣＤ１８における表示対象を同携帯端末装置１０の周囲の明暗に応じて無制限に表示するための明モード及び制限的に表示するための暗モードが設定され、かつ、記憶部１６に記憶されている照度ｐｂを明暗判定閾値と比較し、この照度ｐｂが同明暗判定閾値よりも大きいときに上記明モードを選択する一方、同照度ｐｂが同明暗判定閾値よりも小さいときに上記暗モードを選択する。また、制御部２１は、上記暗モードを選択する機能自体を操作キー１７によりオン／オフする機能を有している。２次電池２２は、たとえばリチウムイオン電池などで構成され、この携帯電話機１０の各部に電源を供給する。
【００２７】
図２は、図１の携帯電話機１０の筐体が折り畳み式に構成されている場合の開状態を示す正面図である。
この携帯電話機１０は、同図２に示すように、ユニット３１と、ユニット３２と、ヒンジ部３３とを備えている。ユニット３１は、前面にレシーバ１５、ＬＣＤ１８及び光センサ２０、及び図示しない背面に図１中のカメラ１４を備えている。ユニット３２は、前面にマイク１３及び操作キー１７を備え、内部には、図１中の記憶部１６、光センサ制御部１９、制御部２１、及び２次電池２２が備えられている。そして、ユニット３１の前面とユニット３２の前面とが向かい合う態様で同ユニット３１と同ユニット３２とがヒンジ部３３を介して折り畳まれるように構成されている。
【００２８】
図３は、図１の携帯電話機１０の動作を説明するフローチャート、及び図４が、ＬＣＤ１８に表示されるメニュー画面の例を示す図である。
これらの図を参照して、この例の携帯電話機１０に用いられる機能制御方法の処理内容について説明する。
この携帯電話機１０では、表示対象が周囲の明るさに応じて加減される。この場合、表示対象に、同携帯端末装置１０の周囲の明暗に応じて無制限に表示するための明モード及び制限的に表示するための暗モードが設定されている。そして、周囲の明暗が検出され（明るさ検出処理）、この明暗検出結果に基づいて、周囲が明るいときに同明モードが選択される一方、周囲が暗いときに同暗モードが選択される。この場合、光センサ制御部１９で携帯端末装置１０の周囲の照度ｐｂが測定される。そして、制御部２１で、測定された照度ｐｂが明暗判定閾値と比較され、この照度ｐｂが同明暗判定閾値よりも大きいときに上記明モードが選択される一方、同照度ｐｂが同明暗判定閾値よりも小さいときに上記暗モードが選択される（表示制御処理）。
【００２９】
すなわち、図３に示すように、光センサ２０から出力される電気信号ｐａが光センサ制御部１９に入力され、同光センサ制御部１９で携帯端末装置１０の周囲の照度ｐｂが測定される（明るさ検出処理、ステップＡ１）。取得された照度ｐｂ（照度情報）は、記憶部１６に一時記憶される（ステップＡ２）。照度ｐｂは、記憶部１６に記憶されている明暗判定閾値と比較され（ステップＡ３、分岐ａ）、同照度ｐｂが同明暗判定閾値よりも大きいときに明るいと判定され、明モードが選択されてＬＣＤ１８に通常メニューが表示される（ステップＡ４）。一方、照度ｐｂが明暗判定閾値よりも小さいときに暗いと判定され、暗モードが選択されてＬＣＤ１８に省略メニューが表示される（表示制御処理、ステップＡ５）。
【００３０】
上記ステップＡ４における通常メニューの表示では、図４（ａ）（通常メニュー例）に示すように、アイコンの数に特に制限のないメニューＭ１が表示される。メニューＭ１は、携帯電話機１０が有する全ての機能を呼び出すためのアイコンを表している。ステップＡ５における省略メニューの表示では、図４（ｂ）（省略メニュー例）に示すように、アイコンの数が限定されたメニューＭ２が表示される。メニューＭ２は、携帯電話機１０が有する全ての機能ではなく、暗がりの中で使用することが想定される機能のみに限定されたアイコンを表すと共に、暗がりの中で全ての機能を呼び出すためのアイコン（「通常メニュー呼び出し」）を表している。
【００３１】
以上のように、この第１の実施例では、光センサ制御部１９で携帯端末装置１０の周囲の照度ｐｂが測定され、測定された照度ｐｂが明暗判定閾値と比較され、この照度ｐｂが同明暗判定閾値よりも大きいときに明モードが選択される一方、同照度ｐｂが同明暗判定閾値よりも小さいときに暗モードが選択されるので、暗がりの中で必要な機能のみが表示され、操作の煩わしさが解消され、使い勝手が改善される。
【実施例２】
【００３２】
図５は、この発明の第２の実施例である携帯電話機の電気的構成を示すブロック図であり、第１の実施例を示す図１中の要素と共通の要素には共通の符号が付されている。
この例の携帯電話機１０Ａでは、同図５に示すように、計時部２３が付加されると共に、図１中の制御部２１に代えて、新たな機能が付加された制御部２１Ａが設けられている。計時部２３は、時計機能を有し、現在時刻情報ｔａを生成する。制御部２１Ａは、制御部２１の機能に加え、記憶部１６に記憶されている照度ｐｂを明暗判定閾値と比較すると共に、現在時刻情報ｔａが同記憶部１６に記憶されている昼間時間範囲内（たとえば、６時乃至１８時）にあるか否かを判定し、上記照度ｐｂが上記明暗判定閾値よりも大きいとき、又は現在時刻情報ｔａが上記昼間時間範囲内にあるときに明モードを選択する一方、上記照度ｐｂが上記明暗判定閾値よりも小さく、かつ現在時刻情報ｔａが上記昼間時間範囲外にあるときに暗モードを選択する。他は、図１と同様の構成である。
【００３３】
図６は、図５の携帯電話機１０Ａの動作を説明するフローチャートである。
この図を参照して、この例の携帯電話機１０Ａに用いられる機能制御方法の処理内容について説明する。
この携帯電話機１０Ａでは、周囲の明暗が検出されると共に現在時刻情報が取得され、これらの明暗検出結果及び現在時刻情報に基づいて、周囲が明るいとき、又は同現在時刻情報が昼間時間範囲内にあるときに明モードが選択される一方、周囲が暗く、かつ同現在時刻情報が同昼間時間範囲外にあるときに暗モードが選択される。この場合、光センサ制御部１９で携帯端末装置１０Ａの周囲の照度ｐｂが測定されると共に（明るさ検出処理）、計時部２３で現在時刻情報ｔａが生成される（計時処理）。そして、制御部２１Ａで、測定された照度ｐｂが明暗判定閾値と比較されると共に、現在時刻情報ｔａが昼間時間範囲内にあるか否かが判定され、同照度ｐｂが同明暗判定閾値よりも大きいとき、又は同現在時刻情報ｔａが同昼間時間範囲内にあるときに明モードが選択される一方、同照度ｐｂが同明暗判定閾値よりも小さく、かつ同現在時刻情報ｔａが同昼間時間範囲外にあるときに暗モードが選択される（表示制御処理）。
【００３４】
すなわち、図６に示すように、ステップＢ１，Ｂ２，Ｂ３において、上記第１の実施例の図３中のステップＡ１，Ａ２，Ａ３と同様の処理がそれぞれ行われ、同ステップＢ３で、照度ｐｂが明暗判定閾値よりも小さく、暗いと判定されたとき、ステップＢ６（分岐ｂ）へ進む。ステップＢ６では、記憶部１６に記憶されている昼間時間範囲と現在時刻情報ｔａとが比較され、同現在時刻情報ｔａが同昼間時間範囲内にあるとき、明るいと判定されてステップＢ４へ進み、図３中のステップＡ４と同様の処理が行われ、同現在時刻情報ｔａが同昼間時間範囲外にあるとき、暗いと判定されてステップＢ５へ進み、図３中のステップＡ５と同様の処理が行われる。これにより、ユーザが昼間時間に暗室などの暗い場所に居る場合、明るいと判定され、周囲が明るい場合と同様の処理が行われる。
【００３５】
以上のように、この第２の実施例では、照度ｐｂが同明暗判定閾値よりも小さいときでも、現在時刻情報ｔａが昼間時間範囲内にある場合では、同照度ｐｂが同明暗判定閾値よりも大きいときと同様の処理が行われるので、第１の実施例の利点に加え、さらに使い勝手が改善される。
【００３６】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記第１の実施例の図４（ｂ）では、表示されるメニューＭ２に含まれるアイコンは、ユーザが選択することができない構成となっていたが、たとえば、図７（省略メニュー例２）に示すメニューＭ３のように、アイコン“カスタム１”，“カスタム２”を加えることで、表示する機能が限定されているにもかかわらず、より利便性の高いメニュー構成が実現される。
【００３７】
また、上記実施例では、携帯端末装置１０，１０Ａの周囲の明暗に応じて、表示するメニューを切り替えていたが、たとえば図８に示すように、表示する電話帳を切り替えても良い。この場合、周囲が明るいとき、図８（ａ）（通常電話帳表示例）に示す電話帳Ｄ１のように、登録されている電話番号全てを表示する一方、周囲が暗いとき、図８（ｂ）（省略電話帳表示例）に示す電話帳Ｄ２のように、図８（ａ）中のフラグＦが“○”となっている電話番号のみを表示する。ただし、この場合、あらかじめフラグＦを記憶部１６などに登録する必要がある。また、たとえば、発着信履歴を表示する場合、周囲が暗いときには、通常の発着信履歴でなく、かけた頻度やかかってきた頻度の高い電話番号のみを表示するようにしても良い。ただし、この場合、あらかじめ発着信の頻度をカウントして記憶部１６などに記憶させておく必要がある。
【００３８】
また、周囲が暗いとき、明るいときに比べて着信音量を段階的に小さくするようにしても良い。これにより、たとえば夜間のように、周囲が静寂なときに、使い勝手が良好となる。また、周囲が暗いとき、明るいときに比べて着信音量を段階的に大きくするようにしても良い。これにより、携帯端末装置１０，１０Ａがバッグなどに収納されているときに、使い勝手が良好となる。ただし、この場合、携帯端末装置１０，１０Ａの筐体が図２のような折り畳み型のとき、折り畳まれた状態で周囲の明暗を検出するために、光センサ２０をユニット３１の背面側に配置する必要がある。また、この場合、着信音量は、明るさに応じて連続的に加減するようにしても良い。また、上記各実施例では、明るさの判定が明暗判定閾値を基準とした２段階になっているが、他の明暗判定閾値を設けることにより、３段階以上としても良い。また、ＬＣＤ１８は、ＥＬ（electroluminescence 、エレクトロルミネセンス）などでも良い。また、携帯端末装置は、携帯電話機に限らず、たとえばＰＤＡ（Personal Digital Assistants ）などでも良い。また、携帯電話機１０，１０Ａの筐体は、上記実施例の折り畳み型に限らず、ストレート型、スライド型、回転型でも良い。
【産業上の利用可能性】
【００３９】
この発明は、所定の表示動作や着信音の鳴動を行う携帯端末装置全般に適用できる。
【図面の簡単な説明】
【００４０】
【図１】この発明の第１の実施例である携帯端末装置の要部の電気的構成を示すブロック図である。
【図２】図１の携帯電話機１０の筐体が折り畳み式に構成されている場合の開状態を示す正面図である。
【図３】図１の携帯電話機１０の動作を説明するフローチャートである。
【図４】ＬＣＤ１８に表示されるメニュー画面の例を示す図である。
【図５】この発明の第２の実施例である携帯電話機の電気的構成を示すブロック図である。
【図６】図５の携帯電話機１０Ａの動作を説明するフローチャートである。
【図７】省略メニューの変形例を示す図である。
【図８】電話帳の表示例を示す図である。
【符号の説明】
【００４１】
１０，１０Ａ      携帯電話機（携帯端末装置）
１１      アンテナ（携帯端末装置の一部）
１２      無線部（携帯端末装置の一部）
１３      マイク（携帯端末装置の一部）
１４      カメラ（携帯端末装置の一部）
１５      レシーバ（携帯端末装置の一部）
１６      記憶部（表示制御手段の一部）
１７      操作キー（携帯端末装置の一部）
１８      ＬＣＤ（Liquid Crystal Display、液晶表示装置）
１９      光センサ制御部（照度測定部の一部）
２０      光センサ（照度測定部の一部）
２１，２１Ａ      制御部（表示制御手段の一部）
２２      ２次電池（携帯端末装置の一部）
２３      計時部（計時手段）
３１      ユニット（携帯端末装置の一部）
３２      ユニット（携帯端末装置の一部）
３３      ヒンジ部（携帯端末装置の一部）
【図１】
2008085398.tif 000003
【図２】
2008085398.tif 000004
【図３】
2008085398.tif 000005
【図４】
2008085398.tif 000006
【図５】
2008085398.tif 000007
【図６】
2008085398.tif 000008
【図７】
2008085398.tif 000009
【図８】
2008085398.tif 000010